(57)【特許請求の範囲】
【請求項１】
コンピュータが、特定の二つの時点の間に、少なくとも三つの隣接する移動体通信のための通信塔によってそれぞれ定義される、一つ以上の定義されたセルの中に位置する稼働中の携帯電話機のユーザーの統計データを収集する方法であって、
前記携帯電話機の携帯電話番号から変換される匿名の一意の番号と、該携帯電話機において発生したイベントの時刻及び位置とを関連付けるデータベースを読み出すことにより、特定の二つの時点の間に、一の前記セルの中に位置していた前記携帯電話機の前記一意の番号を特定する段階と、
特定された前記携帯電話機のユーザーの住所が明らかである場合に、該ユーザーの住所の郵便番号を読み出す段階と、
特定された前記携帯電話機のユーザーの住所が明らかでない場合に、該ユーザーが自宅にいることが見込まれる、異なる多数の時点において該携帯電話機にイベントを発生させ、前記携帯電話機の位置が定められる前記イベントに基づいて、該ユーザーの住所の位置する前記セルを決定し、該セルに対応する郵便番号を読み出す段階と、
郵便番号ごとの居住者についての統計データを含むデータベースを利用し、読み出された前記郵便番号に対応する前記統計データを読み出すことにより、前記一意の番号と関連付けられる、特定された前記携帯電話機のユーザーの統計データを収集する段階と、
を有する、方法。
【請求項２】
与えられた前記イベントは、目立たないテキストメッセージの送信であることを特徴とする、請求項１に記載の方法。
【請求項３】
前記稼働中の携帯電話機の移動のパターンが前記データベースからさらに読み出されることを特徴とする、請求項１又は２に記載の方法。
【発明の詳細な説明】
【技術分野】
【０００１】
本発明は、特定の二つの時点の間に、一つ以上の定義済みのセルの中に位置する、稼働中の（active）携帯電話機のユーザーのデータを収集する方法に関する。それぞれのセルは、三つの隣接する移動体通信のための通信塔（communication  mast）によって定義される。
【０００２】
イベント並びに前記イベントが開催される時点及び位置が前記稼働中の携帯電話機を用いて保管されるデータベースが利用される。ここで、前記携帯電話機の一意の携帯電話番号が匿名の一意の番号へと変換され、前記携帯電話機の所有者の郵便番号が知られる限り保管される。当該方法（method）に従って、前記時点の間での前記定義されたセルの中の前記稼働中の携帯電話機についてのデータが前記データベースから読み出される。イベントは、例えば、あらゆる稼働中の携帯電話機の、例えば一つのセルから隣接するセルへの移動、発呼、着呼、電話の電源の投入、メールの送受信を意味するものとして理解される。前記セルは、セルの境界を形成する多角形の角を作る、隣接する通信塔によって定義される。前記データベースは、いわゆる、信頼できる第三者機関により構成される。
【背景技術】
【０００３】
動作中である電話を意味するものと理解される、稼働中の携帯電話機を数えることにより、人の数を数える方法が一般的に知られている。
【発明の概要】
【発明が解決しようとする課題】
【０００４】
それらの人がどこから来て、彼らの教育及び／又は収入はどれほどであるかを、彼らのプライバシーを侵害することなく知ることが有益である状況が存在する。これらの状況は、例えば、無料のイベントにおいて、組織が訪問者についての一般的な統計データや、イベントに来るためにどのような経路を利用したかを知りたい場合に起こり得る。後者のデータに基づいて、訪問者が電車により訪れたか、あるいは乗用車により訪れたかを明らかにすることができる。
【課題を解決するための手段】
【０００５】
本発明の一つの目的は、導入部で説明されたように、特定の時点の間に、定義されたセルの中に位置していた稼働中の携帯電話機から、携帯電話機のユーザーの統計データが、プライバシーを侵害することなく収集される種類の方法を提供することである。このために、本発明による方法は、前記データベースから携帯電話の所有者の住所の郵便番号を読み出し、郵便番号ごとの居住者についての統計データを含むさらなるデータベースを利用し、前記統計データが関連付けられた前記一意の番号と結び付けられることにより、読み出された前記稼働中の携帯電話機のユーザーのさらなる統計データが収集されることを特徴とする。このことは、携帯電話機のユーザについての情報を集めることを可能にする。このために、電話番号のリストを一意の番号へと変換する、いわゆる、信頼できる第三者機関を利用することにより、携帯電話機のユーザーのプライバシーの侵害を避けることができる。  
本発明の一実施形態における方法は、コンピュータが、特定の二つの時点の間に、少なくとも三つの隣接する移動体通信のための通信塔によってそれぞれ定義される、一つ以上の定義されたセルの中に位置する稼働中の携帯電話機のユーザーの統計データを収集する方法であって、前記携帯電話機の携帯電話番号から変換される匿名の一意の番号と、該携帯電話機において発生したイベントの時刻及び位置とを関連付けるデータベースを読み出すことにより、特定の二つの時点の間に、一の前記セルの中に位置していた前記携帯電話機の前記一意の番号を特定する段階と、特定された前記携帯電話機のユーザーの住所が明らかである場合に、該ユーザーの住所の郵便番号を読み出す段階と、特定された前記携帯電話機のユーザーの住所が明らかでない場合に、該ユーザーが自宅にいることが見込まれる、異なる多数の時点において該携帯電話機にイベントを発生させ、前記携帯電話機の位置が定められる前記イベントに基づいて、該ユーザーの住所の位置する前記セルを決定し、該セルに対応する郵便番号を読み出す段階と、郵便番号ごとの居住者についての統計データを含むデータベースを利用し、読み出された前記郵便番号に対応する前記統計データを読み出すことにより、前記一意の番号と関連付けられる、特定された前記携帯電話機のユーザーの統計データを収集する段階と、を有する。
【０００６】
本発明による方法の一実施形態は、一つ以上の、携帯電話機の所定の番号が前記データベースの中で結び付けられる、郵便番号と結び付けられる前記携帯電話機、又は前記データベースの中で郵便番号が欠けている前記携帯電話機のために、前記ユーザーが自宅にいることが見込まれる、異なる多数の時点において前記携帯電話機にイベントを与えることにより、前記携帯電話機の位置が定められるイベントに基づいて、前記携帯電話機の前記ユーザーの住居の推定位置が位置する前記セルが決定されることを特徴とする。この実施形態において、例えばプリペイド式電話機や、ユーザーの住所ではなくユーザーを雇用する会社の住所がデータベースに記載されているビジネス向けの電話機のように、ユーザーの郵便番号が不明である稼働中の携帯電話機のデータも集められる。
【０００７】
与えられる（imposed）これらのイベントは、好ましくは人目につかない（non-noticeable）テキストメッセージ（text  message）の送信である。したがって、これらのユーザーが自宅にいることが見込まれる時点において、携帯電話機のユーザーが気がつくことができないテキストメッセージを送信することにより、これらのユーザーが住む場所の郵便番号のエリアを定義することができ、これに基づいて統計データを集めることができる。
【０００８】
本発明による方法のさらなる実施形態は、稼働中の携帯電話機の移動のパターンをデータベースから読み出すことができることを特徴とする。例えば：２００８年１２月５日の１０時から１６時の間にアイントホーフェンの中心部を訪れた人が国のどの地域の出身か；アイントホーフェンへ来るために彼らが用いた交通手段は何か、そしてどのくらい滞在したか、である。
【０００９】
本発明は、図面によって得られる発明による方法の、実施形態の一例を表す図への参照と共に、以下でより詳細に説明される。
【図面の簡単な説明】
【００１０】
【図１】実施形態の一例を表す図。
【発明を実施するための形態】
【００１１】
本発明による方法の一実施形態において、イベント並びにそれらのイベントが開催される時点及び位置がデータベース３に保管されるとともに、既知のシステム１が利用される。これらのイベントは、とりわけ、あらゆる稼働中の携帯電話機の、一つのセルから隣接するセルへの移動、発呼、着呼、電話の電源の投入、メールの送受信である。このデータベースにおいて、一意の番号が、ユーザーのプライバシーを侵害しないように、これらの携帯電話と結び付けられる。
【００１２】
本発明による方法において、例えば、二つの時点の間に、定義された複数のセル５の中にどのくらいの数の人が存在したかが数えられる。それぞれのセル６は、三つの隣接する移動体通信のための通信塔７により定義される。
【００１３】
特定の二つの時点の間に、定義されたセル５の中に位置していた携帯電話機の電話番号１１に関連する一意の番号のリストが、信頼できる第三者機関によってコンピューター９を用いて読み出される。
【００１４】
続いて、特定の前記二つの時点の間に、定義されたセル５の中にあった携帯電話機の所有者の住居の位置を位置づける、セル１３が定義される。加入申し込みをした携帯電話機のユーザーの住居の位置は既知であり、既にデータベースの中に含まれる。プリペイド式携帯電話を利用するユーザーの住居の位置は不明である。これらのユーザーのために、多くの人が自宅にいると予想される、複数の異なる時点において、目立たないテキストメッセージ１５を全ての携帯電話機に送信することにより、住居の位置が決定される。これらのテキストメッセージは、携帯電話機のテレコムプロバイダーによって送信される。これらのテキストメッセージの受信も、既知のシステムによってデータベースの中に保管される一つのイベントである。携帯電話機のユーザーの住居の推定位置がデータベースから読み出される。
【００１５】
加えて、居住者についての統計データが郵便番号ごとに保管されているさらなるデータベース１７が、本発明に従う方法において利用される。ユーザーの住居の位置についてのセルがある郵便番号のエリア１９を定義し、さらにこれらの郵便番号に関連する統計データを、さらなるデータベース１９から読み出すことにより、ある特定の時点において定義されたセル５の中にあった、例えばイベントを訪れていた携帯電話機のユーザーの統計データを集めることができる。
【００１６】
さらに、必要に応じて、データベースから、訪問者がイベント会場へどのようにやってきて、どのように去ったかについての情報を取得するために、稼働中の携帯電話から移動のパターンを集めることができる。例えば、以下をデータベースから読み出すことができる：２００８年１２月５日の１０時から１６時の間にアイントホーフェンの中心部を訪れた人が国のどの地域の出身か、及びどの経路でやってきて去ったか？続いて、これらの移動のパターンから、アイントホーフェンへ、及びアイントホーフェンからの移動のためにどんな移動手段を用いたか、並びにどのくらい滞在していたかを得ることができる。
【００１７】
本発明は、図面への参照と共に先述の通り説明されたが、図面に示される実施形態に決して制限されない。本発明は、クレームによって定義される精神及び範囲の中で、図面によって示される実施形態から派生する全ての実施形態に対しても拡張される。
【図１】
0005676584.tif 000002